(57)【特許請求の範囲】
【請求項１】
マンション・集合住宅のバルコニーや一戸建ての庭等の屋外に設置される屋外用シンクにおいて、シンク本体を樹脂製とし、据置きのみならず外壁にも取付けられるよう構成されていることを特徴とする屋外用シンク。
【請求項２】
引掛け手段を介して前記外壁に吊るされた状態で設置されている請求項１に記載の屋外用シンク。
【請求項３】
引掛け手段と、この引掛け手段とは別の係止手段とにより前記外壁に設置されている請求項１に記載の屋外用シンク。
【請求項４】
シンク本体の背面部および前記外壁に前記引掛け手段および前記係止手段を設けている請求項３に記載の屋外用シンク。
【請求項５】
トラップを備え、このトラップに接続される下水管を前記外壁に貫通設置してある請求項１ないし請求項４のいずれかに記載の屋外用シンク。
【請求項６】
オーバーフロー口を備え、このオーバーフロー口と前記トラップを接続管で接続してある請求項５に記載の屋外用シンク。
【発明の詳細な説明】
【０００１】
【発明の属する技術分野】
この発明は、マンション・集合住宅のバルコニーや一戸建ての庭等の屋外に設置される屋外用シンクに関する。
【０００２】
【従来の技術および発明が解決しようとする課題】
従来例えばバルコニーに設置されて主としてガーデニングに使用される屋外用シンクは、バルコニーの床面に置かれる、いわゆる、据置きタイプのものしかなく、壁取付けタイプのものはなかった。
【０００３】
この発明は上述の事柄に留意してなされたもので、その目的は、据置きのみならず外壁にも取付けることができる屋外用シンクを提供することである。
【０００４】
【課題を解決するための手段】
上記目的を達成するために、この発明は、マンション・集合住宅のバルコニーや一戸建ての庭等の屋外に設置される屋外用シンクにおいて、シンク本体を樹脂製とし、据置きのみならず外壁にも取付けられるよう構成されている。
【０００５】
【発明の実施の形態】
以下、この発明の実施の形態について説明する。
図１〜図９は、この発明の一実施形態を示す。
【０００６】
図１〜図９において、１は、屋外用シンクで、マンション・集合住宅や一戸建てにおいてガーデニングや多目的に使用するためにマンション・集合住宅のバルコニーや一戸建ての庭等の屋外に設置される。
【０００７】
前記屋外用シンク１は、箱状で、平面視略矩形の上方開口２を有し、薄肉に樹脂成形されているシンク本体３と、シンク本体３の背面部Ｂの外面側に設けられた金属製の薄い板状部材５とより主としてなる。この板状部材５は、後述するようにシンク本体３を外壁１５に吊るすために必要な固定金具として機能する。
【０００８】
薄肉に樹脂成形された前記シンク本体３は、前面部Ａ、背面部Ｂ、底面部Ｃおよび左右両側面部Ｄ，Ｅよりなり、左側面部Ｄ、前面部Ａおよび右側面部Ｅに跨がり空洞６を有する。この空洞６は、左側面部Ｄ、前面部Ａおよび右側面部Ｅの上部において外方に突出成形された薄肉の樹脂製枠部材６ａの内部に形成されている。前記空洞６は、ガス封入式の手法によって得られる。すなわち、左側面部Ｄ、前面部Ａおよび右側面部Ｅは前記空洞６を有することにより左側面部Ｄ、前面部Ａおよび右側面部Ｅの強度および外観が保たれるとともに、前面部Ａ、背面部Ｂ、底面部Ｃおよび左右両側面部Ｄ，Ｅは薄肉であることから軽量なシンク本体３を提供できる。
【０００９】
前記底面部Ｃは、中央より背面部Ｂの側にかたよった位置に排水口８を有する。また、前記底面部Ｃの底面４は、前面部Ａの側から背面部Ｂの側に行くにつれ緩やかに下方傾斜している。
１１は、略Ｕ字形状の樹脂製水溜筒１１ａを有する簡易トラップである。そして、前記水溜筒１１ａの上流端ｅを、前記排水口８に設置した排水栓９から下方向に延設された連結筒１０に嵌込むことで、シンク本体３からの排水が、前記水溜筒１１ａから後述する下水管１６に流れる。
【００１０】
また、前記背面部Ｂは底面部Ｃの後端から立ち上がる立ち上がり部分４ａと、この立ち上がり部分４ａの上端から折れ曲がり外方に行くにつれ緩やかに上方傾斜する折れ曲がり部４ｂとよりなる。
【００１１】
１５は、外壁である。この外壁１５は、例えばマンション・集合住宅のバルコニーに面した壁や、一戸建ての庭に面した壁である。
【００１２】
前記外壁１５には、前記簡易トラップ１１に接続される下水管１６が貫通設置してある。１６ａは外壁１５に形成した下水管挿通用の貫通穴である。
【００１３】
一方、前記背面部Ｂは、底面４より所定高さの中央位置にオーバーフロー口１７を有する。このオーバーフロー口１７と簡易トラップ１１はフレキシブル管１８で接続してある。
【００１４】
更に、前記背面部Ｂは、図６に示すように、立ち上がり部分４ａの背面ｍに、略格子状に形成された左右対称な形状の樹脂製のリブ２０，２０を有する。このリブ２０は、シンク本体３と一体に成形される。前記リブ２０は、前記板状部材５をリブ２０に固定するためのビス２１が螺着する複数のビス孔２３を有する。一方、前記板状部材５は、図３に示すように、ビス２１の締付けによりリブ２０，２０を介して背面部Ｂに固定されたときにオーバーフロー口１７が露出するよう中央部に切欠き２４を有する。
【００１５】
以下、シンク本体３を外壁１５に吊るすために用いる引掛け手段について説明する。
【００１６】
すなわち、前記板状部材５を介してシンク本体３を外壁１５に吊るすために、外壁１５には、く字型の本体を有する一対の引掛け片２５，２５がビス（十字孔付きタッピンネジ）２６によって取り付けられている。図８に示すように、引掛け片２５は、外壁１５に当接する固定片部２７と、固定片部２７の上端側から上方に行くにつれ緩やかに内側に傾斜する傾斜片部２８と、固定片部２７および傾斜片部２８の両側端を繋ぐ平面視略三角形の一対の補強片部２９，３０よりなる。前記固定片部２７と傾斜片部２８で引掛け片２５の前記本体が構成される。固定片部２７は、前記ビス（十字孔付きタッピンネジ）２６を挿通させるために設けた左右一対のビス挿通用の丸孔３１，３１と、固定片部２７を外壁１５に当接させて位置調整するために設置位置調整用の縦長の長孔３２を有する。長孔３２は、前記ビス（十字孔付きタッピンネジ）２６の挿通用の孔としても機能する。そして、前記ビス（十字孔付きタッピンネジ）２６により外壁１５に固定された状態では、前記傾斜片部２８および外壁１５の壁面１５ａ間に空間Ｇ（図９参照）が形成されることになる。
【００１７】
一方、前記板状部材５は、左右端部に、外壁１５に固定された状態の前記傾斜片部２８に前記空間Ｇ側から引っ掛かるよう構成された引っ掛かり部５ａ，５ａを有する。この引っ掛かり部５ａ，５ａは、図３におけるＭで示す領域に位置する。
【００１８】
図９において、前記引っ掛かり部５ａは、リブ２０のビス孔２３に整合する挿通孔３４を有するリブ取付用垂直部分３５と、この垂直部分３５の下端側から折り曲げられ外側に水平状態を保ちながら延設され、引掛け片２５の上端２５ａが下面３６ａに当接した状態で係止される水平部分３６と、この水平部分３６の外端側から下方に折り曲げられ外側に行くにつれ下方に緩やかに傾斜し、引掛け片２５の傾斜片部２８に空間Ｇ側から引っ掛かる傾斜部分３７とよりなる。
【００１９】
そして、リブ２０、ビス２１，２６、引っ掛かり部５ａおよび引掛け片２５とから前記引掛け手段が構成される。
【００２０】
次に、前記引掛け手段２０、２１，２６、５ａ、２５とは別の係止手段について説明する。この別の係止手段は、前記引掛け手段２０、２１，２６、５ａ、２５によって外壁１５に吊るされたシンク本体３が抜けないように機能するためのものである。というのは、前記別の係止手段がなければ、シンク本体３は外壁１５から簡単に外されてしまうからである。
【００２１】
４０，４０は、左右一対の係止片で、板状部材５のリブ２０に設けた複数のビス孔２３（図６参照）のうち、下部における対称な位置に設けられている左右一対のビス孔２３，２３，２３，２３、２３，２３，２３，２３にそれぞれビス２１ａ（図３参照）を介して板状部材５に固定されている。
【００２２】
各係止片４０は図７に示すように、リブ２０のビス孔２３に整合する複数の挿通孔４１を有するリブ取付用垂直部分４２と、この垂直部分４２の下端側から折り曲げられ外側に行くにつれ下方に緩やかに傾斜して形成された係止部分４３とよりなる。この係止部分４３は、係止穴４４を有する。
【００２３】
一方、５０，５０は、波形形状の薄い一対の係止爪板部材で、各係止片４０に対応する外壁面１５ａの位置にビス（十字孔付きタッピンネジ）５１によって取り付けられる。各係止爪板部材５０は、シンク本体３の設置場所である外壁１５にビス（十字孔付きタッピンネジ）５１により固定された状態で前記係止穴４４に嵌まり込む係止爪５２を上端部に有する。係止爪板部材５０は、外壁面１５ａに当接するよう形成された水平片部５４を下端部に有する。そして、係止爪板部材５０は、係止爪５２および水平片部５４間に、水平片部５４から垂直に上方に向かって折り曲げられた垂直片部５５と、この垂直片部５５と係止爪５２を繋ぐ繋ぎ片部５６とを有する。更に、垂直片部５５は、ビス（十字孔付きタッピンネジ）５１の挿通孔５５ａを有する。
【００２４】
そして、一対の係止片４０，４０と一対の係止爪板部材５０，５０とから前記引掛け手段２０、２１，２６、５ａ、２５とは別の係止手段が構成される。
【００２５】
而して、シンク本体３を外壁１５に吊るした状態で外壁１５から外れないようにするためには、シンク本体３側に設けた左右一対の引っ掛かり部５ａ，５ａの位置に対応するよう一対の引掛け片２５，２５を外壁１５に固定するとともに、前記引っ掛かり部５ａ，５ａよりも下側に設けた左右一対の係止片４０，４０の位置に対応するよう一対の係止爪板部材５０，５０を外壁１５に固定するだけで、後は、引っ掛かり部５ａ，５ａを引掛け片２５，２５にそれぞれ引っ掛けるとともに、係止片４０，４０の係止穴４４に係止爪板部材５０，５０の係止爪５２，５２をそれぞれ係止させるだけの簡単な作業を行うだけでよい。
【００２６】
一方、屋外用シンク１は、据置きされる場合もある。
【００２７】
すなわち、屋外用シンク１を例えば一戸建ての庭やマンション・集合住宅のバルコニーに置かれた、脚を備えた架台に設置できるよう、シンク本体３の底面４の四隅に枠体１２を有する（図４参照）。この枠体１２は前記架台の受部の四隅に設けた例えば嵌込み部材に嵌込まれる。
【００２８】
また、屋外用シンク１を例えば一戸建ての庭の平坦面へ直置きする場合は、簡易トラップ１１を外して予め前記平坦面に備わっている排水溝に排水口８を連通させる。なお、オーバーフロー口１７と簡易トラップ１１を接続していたフレキシブル管１８を外してもよい。
【００２９】
【発明の効果】
この発明では、据置きのみならず外壁にも取付けることができる屋外用シンクを提供できる。
【図面の簡単な説明】
【図１】この発明の一実施形態の取り付け状態を示す全体構成説明図である。
【図２】上記実施形態における正面図である。
【図３】上記実施形態における背面図である。
【図４】上記実施形態における平面図である。
【図５】図４におけるＸ−Ｘ線矢視図である。
【図６】上記実施形態において、板状部材取り付け前の状態を示す背面図である。
【図７】上記実施形態で用いた係止手段を示す斜視図である。
【図８】上記実施形態で用いた引掛け手段の一部を示す斜視図である。
【図９】上記実施形態の取り付け状態を示す要部構成説明図である。
【符号の説明】
１…屋外用シンク、３…シンク本体、１５…外壁。
【図１】
0004231637.tif 000002
【図２】
0004231637.tif 000003
【図３】
0004231637.tif 000004
【図４】
0004231637.tif 000005
【図５】
0004231637.tif 000006
【図６】
0004231637.tif 000007
【図７】
0004231637.tif 000008
【図８】
0004231637.tif 000009
【図９】
0004231637.tif 000010